【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
対象物に係る属性データを複数取得する取得部を備え、該取得部により取得した複数の属性データに基づいて他へ情報を通知する情報通知装置において、
前記取得部により取得した属性データを用いた前記対象物に対応付けられている個別情報に基づき前記対象物の変異を検出する検出部と、
該検出部が変異を検出した場合、検出された変異に対応する前記対象物についての変異情報を第１の通知先へ通知する通知部と
を備えることを特徴とする情報通知装置。
【請求項２】
前記検出部は、前記対象物の変異を変動値である前記属性データに基づき検出する
ことを特徴とする請求項１に記載の情報通知装置。
【請求項３】
前記通知部は、前記検出部が変異を検出した場合、検出された変異に対応する前記対象物についての変異情報を前記第１の通知先と共に第２の通知先へと通知する
ことを特徴とする請求項１に記載の情報通知装置。
【請求項４】
前記変異情報よりも詳細な情報を送信する送信部を更に備え、
該送信部は、前記第１の通知先からの要求に応じて前記詳細な情報を送信し、
前記第２の通知先への前記送信部による前記詳細な情報の送信は禁止される
ことを特徴とする請求項３に記載の情報通知装置。
【請求項５】
前記取得部により取得した前記属性データを時系列に記憶する記憶部を備え、
前記検出部は、前記記憶部が記憶した前記属性データの時間の経過に対する変動に基づき、変異を検出する
ことを特徴とする請求項１〜４のいずれか１つに記載の情報通知装置。
【請求項６】
前記取得部により取得した前記属性データを記憶する記憶部を備え、
前記検出部は、前記記憶部に記憶された前記属性データの統計的情報に基づき、変異を検出する
ことを特徴とする請求項１〜４のいずれか１つに記載の情報通知装置。
【請求項７】
前記取得部により取得した前記属性データを記憶する記憶部と、
該記憶部に記憶された前記属性データに基づき変異検出の基準となる基準情報を導出する導出部と
を更に備え、
前記検出部は、前記導出部により導出された基準情報を参照して変異を検出する
ことを特徴とする請求項１から４のいずれか１つに記載の情報通知装置。
【請求項８】
端末装置と、該端末装置と通信接続する情報通知装置と、対象物に係る属性データを前記情報通知装置へ入力する入力装置とを含む情報通知システムにおいて、
前記情報通知装置は、
前記入力される属性データに基づき前記対象物の変異を検出する検出部と、
該検出部が変異を検出した場合、検出された変異に対応する変異情報を前記端末装置へ通知する通知部と、
前記変異情報よりも詳細な情報を送信する送信部と
を備え、
前記入力装置によって入力される属性データに基づいて前記端末装置へ情報を通知する
ことを特徴とする情報通知システム。
【請求項９】
前記端末装置は、個人ユーザ権限が付与された第1の端末装置と、管理者権限が付与された第２の端末装置とを含み、
前記情報通知装置の前記送信部は、
前記第１の端末装置からの要求に応じて前記詳細な情報を送信し、
前記第２の端末装置への前記送信部による前記詳細な情報の送信は禁止される
ことを特徴とする請求項８に記載の情報通知システム。
【請求項１０】
前記情報通知装置は、
前記入力される属性データを、各々の前記入力装置の識別情報に対応付けて記憶する記憶部を備え、
前記入力装置の故障を検知した場合に、故障した前記入力装置による入力を無効化し、更に、故障した前記入力装置の識別情報に対応付けて記憶されている属性データを消去する  
ことを特徴とする請求項８又は９に記載の情報通知システム。
【請求項１１】
前記入力装置は、属性データを通信によって前記情報通知装置へ送信する前記送信部を備え、
前記情報通知装置は、
前記入力装置から送信される属性データを受信する受信部を備え、
該受信部による通信障害を検知した場合、該受信部による属性データの受信を無効化する
ことを特徴とする請求項８又は９に記載の情報通知システム。
【請求項１２】
前記入力装置は、
前記送信部による送信に障害が発生した場合に、障害以後の複数の時点で出力された属性データを記憶する記憶部を備え、
前記送信部による送信が復旧した場合、前記記憶部に記憶してある属性データを送信すると共に、前記記憶部に記憶してある属性データを消去する
ことを特徴とする請求項１１に記載の情報通知システム。
【請求項１３】
コンピュータに、対象物に係る属性データの入力を受け付けさせ、入力された属性データに基づいて他へ情報を通知させるコンピュータプログラムにおいて、
前記コンピュータに、
前記入力された属性データを用いた前記対象物に対応付けられている個別情報に基づき前記対象物の変異を検出するステップ、及び、
変異が検出された場合、検出された変異に対応する変異情報を通知先へ通知するステップ
を実行させることを特徴とするコンピュータプログラム。
【手続補正２】
【補正対象書類名】明細書
【補正対象項目名】００５８
【補正方法】変更
【補正の内容】
【００５８】
通信部２１３はネットワーク４ａに含まれるＬＡＮ４１２に接続されているネットワークカードである。制御部２１０は通信部２１３により、ネットワーク４ａを介した通信が可能である。制御部２１０は体重計１１から送信される計測結果を受信し、ＬＡＮ４１２に接続されている端末装置３１ｂ、更に公衆網４２１経由で端末装置３１ａとの通信接続が可能である。
【手続補正３】
【補正対象書類名】明細書
【補正対象項目名】００６５
【補正方法】変更
【補正の内容】
【００６５】
操作部３１５は、表示部３１３のディスプレイに内蔵されるタッチパネル及び端末装置３１ａ（又は３１ｂ）の筐体に設けられるボタン群を用いる。端末装置３１ａ（又は３１ｂ）がＰＣである場合、操作部３１５はキーボード及びマウス等のユーザインタフェースを含む。操作部３１５は、ユーザによる操作情報を制御部３１０へ通知する。
【手続補正４】
【補正対象書類名】明細書
【補正対象項目名】００６６
【補正方法】変更
【補正の内容】
【００６６】
音声出力部３１４はスピーカである。制御部３１０は音声出力部３１４から音声、効果音等を出力する。
【手続補正５】
【補正対象書類名】明細書
【補正対象項目名】００６８
【補正方法】変更
【補正の内容】
【００６８】
端末装置３１ａ及び端末装置３１ｂの制御部３１０は、クライアントプログラム３１Ｐに基づき操作部３１５により、健康情報を通知する健康情報通知サービスへのログイン情報を受け付け、サーバ装置２１へ通信接続することが可能である。端末装置３１ａを使用するユーザのログイン情報は一般ユーザ権限が与えられたユーザＩＤ及びパスワードである。このユーザＩＤは、カードキー１３に記憶されているカード番号と予め対応付けられてサーバ装置２１の記憶部２１１に予め記憶されている。端末装置３１ｂを使用する管理者のログイン情報は管理者権限が与えられたユーザＩＤ及びパスワードである。管理者は複数人であってもよく、管理者権限が与えられたユーザＩＤは１つであっても複数であってもよい。
【手続補正６】
【補正対象書類名】明細書
【補正対象項目名】００８５
【補正方法】変更
【補正の内容】
【００８５】
なおステップＳ２１０又はステップＳ２１１においてサーバ装置２１から端末装置３１ａ又は端末装置３１ｂへ送信される通知メッセージは、例えば夫々のユーザＩＤに対応付けて記憶されてある電子メールアドレスへの電子メール又は、その他のアプリケーションプログラムそれにおける個別識別ＩＤ（ユーザＩＤ）である。この場合通知メッセージは、端末装置３１ａ又は端末装置３１ｂの表示部３１３に文字情報（画像を含んでもよい）として表示される。なお通知メッセージは、又はメッセージサービスＩＤ宛てのメッセージであってもよい。通知メッセージは、プッシュ通知であってもよい。更に通知メッセージは、対応するユーザＩＤによるログイン後のポータルページに含まれるものであり、端末装置３１ａ又は端末装置３１ｂの制御部３１０のＷｅｂブラウザとしての機能により、表示部３１３に画像又は文字情報として表示される。通知メッセージは音声又は効果音であってもよく、この場合、電子メールに含まれる音声データにより音声出力部３１４により出力されるか、Ｗｅｂブラウザ経由で音声出力部３１４により出力される。
【手続補正７】
【補正対象書類名】明細書
【補正対象項目名】０１１１
【補正方法】変更
【補正の内容】
【０１１１】
端末装置３２ａ及び端末装置３２ｂの制御部３２０は、クライアントプログラム３２Ｐに基づき操作部３２５により、車輌異常通知サービスへのログイン情報を受け付け、サーバ装置２２へ通信接続することが可能である。端末装置３２ａを使用するユーザのログイン情報は一般ユーザ権限が与えられたユーザＩＤ及びパスワードである。このユーザＩＤは、携帯機１４に記憶されている携帯機識別子と予め対応付けられてサーバ装置２２の記憶部２２１に記憶されている。端末装置３２ｂを使用する管理者のログイン情報は、車輌異常通知サービスの提供者（例えばディーラー、又はセキュリティサービス事業者）に対応する管理者権限が与えられたユーザＩＤ及びパスワードである。管理者は複数人であってもよく、管理者権限が与えられたユーザＩＤは１つであっても複数であってもよい。
【手続補正８】
【補正対象書類名】明細書
【補正対象項目名】０１２８
【補正方法】変更
【補正の内容】
【０１２８】
なおステップＳ７０４又はステップＳ７０５においてサーバ装置２２から端末装置３２ａ又は端末装置３２ｂへ送信される通知メッセージは、例えば夫々のユーザＩＤに対応付けて記憶されてある電子メールアドレスへの電子メール又は、その他のアプリケーションプログラムそれにおける個別識別ＩＤ（ユーザＩＤ）である。この場合通知メッセージは、端末装置３２ａ又は端末装置３２ｂの表示部３２３に文字情報（画像を含んでもよい）として表示される。なお通知メッセージは、又はメッセージサービスＩＤ宛てのメッセージであってもよい。通知メッセージは、プッシュ通知であってもよい。更に通知メッセージは、対応するユーザＩＤによるログイン後のポータルページに含まれるものであり、端末装置３２ａ又は端末装置３２ｂの制御部３２０のＷｅｂブラウザとしての機能により、表示部３２３に画像又は文字情報として表示されるようにしてもよい。通知メッセージは音声又は効果音であってもよく、この場合、電子メールに含まれる音声データにより音声出力部３２４により出力されるか、Ｗｅｂブラウザ経由で音声出力部３２４により出力される。
【手続補正９】
【補正対象書類名】明細書
【補正対象項目名】０１３６
【補正方法】変更
【補正の内容】
【０１３６】
１  入力装置
２  サーバ装置
３ａ  クライアントＡ（第１の通知先）
３ｂ  クライアントＢ（第２の通知先）
１１  体重計
１７  重量センサ
２１，２２  サーバ装置
２１０，２２０  制御部（取得部、通知部、送信部）
２１１，２２１  記憶部
２１３，２２３  通信部（取得部、受信部、送信部）
２１４  健康情報ＤＢ
２２４  走行履歴ＤＢ
３１ａ，３２ａ  端末装置（第１の通知先）
３１ｂ，３２ｂ  端末装置（第２の通知先）
３１０，３２０  制御部
３１１，３２１  記憶部
３１Ｐ，３２Ｐ  クライアントプログラム
３１３，３２３  表示部
３１４，３２４  音声出力部
３１５，３２５  操作部
３１６，３２６  通信部